(57)【特許請求の範囲】
【請求項１】
観察者が観察する観察像を形成する観察像形成部材と、前記観察像形成部材によって形成された観察像を観察者眼球位置に形成される射出瞳に導く接眼光学部材とを有する観察光学系において、
前記接眼光学部材が、少なくとも、第１プリズムと第２プリズムとを含み、
前記第１プリズムが、少なくとも、第１プリズム媒質を間に挟んで、前記観察像からの光線を前記第１プリズム内に入射させる第１入射面と、前記第１プリズム内で光線を反射させる反射面と、前記第１プリズム外に光線を射出させる第１射出面とを有し、
前記第２プリズムが、少なくとも、第２プリズム媒質を間に挟んで、前記第１プリズムから射出した光線を前記第２プリズム内に入射させる第２入射面と、前記第２プリズム外に光線を射出させる第２射出面とを有し、
前記第１プリズムと前記第２プリズムとが、前記第１射出面と前記第２入射面との間にホログラム素子を挟んで接合配置されるように構成され、
前記第１プリズムの前記反射面が、反射時に光線に正のパワーを与えるような凹面形状の曲面に形成され、
前記第１射出面と前記第２入射面とが次の条件式（２）、（３）を満たす球面又はトーリック面から形成され、
軸上主光線と前記ホログラム素子の基板面とが交わる位置における接平面と前記観察光学系の最も射出瞳側の面から前記射出瞳に到る軸上主光線とのなす角度をθとしたとき、次の条件式（１）を満足することを特徴とする観察光学系。
４５°＜θ＜８５°                                    ・・・（１）
−２．０＜Ｄａ／Ｒａ＜２．０                          ・・・（２）
−０．０５＜Ｄｂ／Ｒｂ＜０．０５                      ・・・（３）
ただし、Ｒａ、Ｄａは曲率の大きい方の軸における曲率半径と外径であり、Ｒｂ、Ｄｂは曲率の小さい方の軸における曲率半径と外径である。
【請求項２】
前記第１プリズムの前記第１入射面が、透過時に光線にパワーを与えるような曲面形状に形成され、
前記第２プリズムの前記第２射出面が、透過時に光線にパワーを与えるような曲面形状に形成されていることを特徴とする請求項１記載の観察光学系。
【請求項３】
前記第１プリズム媒質と前記第２プリズム媒質とが同種の媒質で構成されていることを特徴とする請求項１又は２記載の観察光学系。
【請求項４】
前記第１プリズムの第１射出面の面形状と前記第２プリズムの第２入射面の面形状とが、略同一形状にて構成されていることを特徴とする請求項１から３の何れか１項記載の観察光学系。
【請求項５】
前記第１プリズムと前記第２プリズムの備えた光線を透過又は反射させる光学作用面以外の非光学作用面に、ゴースト光が観察者の眼球へ入射しないようなゴースト光除去部材を設けたことを特徴とする請求項１から４の何れか１項記載の観察光学系。
【請求項６】
前記第１プリズムの第１入射面の面形状が回転非対称な曲面形状にて構成されていることを特徴とする請求項１から５の何れか１項記載の観察光学系。
【請求項７】
前記回転非対称な曲面形状は、対称面が１面のみの自由曲面にて構成され、前記唯一の対称面は、光軸の折り返し面（Ｙ−Ｚ平面）に一致していることを特徴とする請求項６記載の観察光学系。
【請求項８】
前記ホログラム素子が光線を反射回折により回転対称成分と回転非対称成分の両方の倍率色収差を補正するように構成されていることを特徴とする請求項１から７の何れか１項記載の観察光学系。
【請求項９】
前記第２プリズムの前記第２射出面の面形状が、前記接眼光学部材で発生する回転非対称なコマ収差又は非点収差の少なくとも一方の回転非対称な収差を補正する作用を持った回転非対称な曲面形状にて構成されていることを特徴とする請求項１から８の何れか１項記載の観察光学系。
【請求項１０】
前記回転非対称な曲面形状は、対称面が１面のみの自由曲面にて構成され、前記唯一の対称面は、光軸の折り返し面（Ｙ−Ｚ平面）に一致していることを特徴とする請求項９記載の観察光学系。
【請求項１１】
光軸の折り返し面をＹ−Ｚ平面とし、射出瞳から前記観察光学系の最も射出瞳側の面に向かう軸上主光線の方向をＺ軸方向、Ｚ軸に直交し光学系の偏心方向をＹ軸方向、Ｙ軸、Ｚ軸と右手直交座標系を構成する軸をＸ軸とし、前記観察像形成部材のＸ軸方向の長さをＤｘ、Ｙ軸方向の長さをＤｙとし、前記ホログラム素子の基板面のＸ軸方向の曲率半径をＲｘ、Ｙ軸方向の曲率半径がＲｙとするとき、
−１．０≦Ｄｘ／Ｒｘ≦０                              ・・・（４）
−１．０≦Ｄｘ／Ｒｙ≦０                              ・・・（５）
条件を満たすことを特徴とする請求項１から１０の何れか１項記載の観察光学系。
【請求項１２】
請求項１から１１の何れか１項記載の観察光学系を内蔵した本体部と、前記観察光学系の射出瞳を観察者の眼球位置に保持するように前記本体部を観察者頭部に支持する支持部材と、前記観察者の耳に音声を与えるスピーカー部材とを有していることを特徴とする頭部装着型画像表示装置。
【請求項１３】
前記本体部が、右眼用の観察光学系と左眼用の観察光学系とを備え、前記スピーカー部材が、右耳用スピーカー部材と左耳用スピーカー部材とを有するように構成されていることを特徴とする請求項１２記載の頭部装着型画像表示装置。
【請求項１４】
前記スピーカー部材がイヤホンで構成されていることを特徴とする請求項１２又は１３記載の頭部装着型画像表示装置。
【請求項１５】
像面に配置された、物体像を撮像する撮像素子と、瞳面に配置された、物体からの光束の明るさを絞る明るさ絞りと、前記像面と前記瞳面との間に配置された、前記物体像を前記像面に導く結像光学部材とを有する撮像光学系において、
前記結像光学部材が少なくとも、第２プリズムと第１プリズムとを含み、
前記第２プリズムが、少なくとも、第２プリズム媒質を間に挟んで、前記明るさ絞りを通過した物体からの光線を前記第２プリズム内に入射させる第３入射面と、前記第２プリズム外に光線を射出させる第３射出面とを有し、
前記第１プリズムが、少なくとも、第１プリズム媒質を間に挟んで、前記第２プリズムから射出した光線を前記第１プリズム内に入射させる第４入射面と、前記第１プリズム内で光線を反射させる反射面と、前記第１プリズム外に光線を射出させる第４射出面とを有し、
前記第２プリズムと前記第１プリズムとが、前記第３射出面と前記第４入射面との間にホログラム素子を挟んで接合配置されるように構成され、
前記第１プリズムの前記反射面が、反射時に光線に正のパワーを与えるような凹面形状の曲面に形成され、
前記第３射出面と前記第４入射面とが次の条件式（２）、（３）を満たす球面又はトーリック面から形成され、
軸上主光線と前記ホログラム素子の基板面とが交わる位置における接平面と前記絞りから前記撮像光学系の最も絞り側の面に到る軸上主光線とのなす角度をθとしたとき、次の条件式（１）を満足することを特徴とする撮像光学系。
４５°＜θ＜８５°                                    ・・・（１）
−２．０＜Ｄａ／Ｒａ＜２．０                          ・・・（２）
−０．０５＜Ｄｂ／Ｒｂ＜０．０５                      ・・・（３）
ただし、Ｒａ、Ｄａは曲率の大きい方の軸における曲率半径と外径であり、Ｒｂ、Ｄｂは曲率の小さい方の軸における曲率半径と外径である。
【発明の詳細な説明】
【０００１】
【発明の属する技術分野】
本発明は、観察光学系及び撮像光学系及びそれを用いた装置に関し、特に観察者の頭部又は顔面に保持することができ、また、携帯電話や携帯情報端末に付加することができる画像表示装置等に用いる光学系に関するものである。
【０００２】
【従来の技術】
近年、個人が大画面の画像を楽しむことを目的として、画像表示装置、特に、頭部や顔面に装着するタイプの画像表示装置の開発が盛んになされている。また、近年、携帯電話の普及や携帯情報端末の画像や文字データを大画面で見たいというニーズが高まっている。
【０００３】
このような中、小さな偏心量を有した凹面鏡を含むプリズム光学系中に光路を分岐するための斜鏡としてハーフミラーを用いた光学系が、特開平７−１４０４１４号、特開平９−１７１１５１号で提案されている。
【０００４】
また、米国特許第５，０９３，５６７号、特開２０００−２４１７５１、特開２０００−１８０７８７では、眼側に三角形状のプリズム及び凸レンズ作用を有する第１のプリズムを配置し、微小な空気間隔を空けて第２のプリズムを配置する光学系が提案されている。この微小なプリズム間の空気間隔によるガラスと空気の屈折率差により発生する全反射現象を利用して、光量損失なく光路を折り曲げる観察光学系が提案されている。
【０００５】
また、ホログラム素子を用いた観察光学系として、米国特許第４，８７４，２１４号のものが提案されている。この観察光学系では、平面の斜鏡面上と球面基板形状上の２箇所にホログラム素子を用いている。
【０００６】
【発明が解決しようとする課題】
上記の特開平７−１４０４１４号、特開平９−１７１１５１号のものでは、プリズム光学系内に配置されている斜鏡がハーフミラーで構成されている。そのため、画像表示素子から射出された光が２回にわたりハーフミラーを通過することになるため、光量が１／４に低下し、表示画像が暗くなってしまう。これを防ぐためには、より電力を消費する明るい照明等を用いて画像表示素子を照明する必要が発生してしまう。また、光源を明るくすることが消費電力や光源素子の能力によりできない場合には、明るい太陽下での表示画像観察ができなくなってしまうことになる。
【０００７】
また、米国特許第５，０９３，５６７号、特開２０００−２４１７５１、特開２０００−１８０７８７による観察光学系は、２つのプリズム間に微小な空気間隔を空けているため、お互いのプリズムの光軸調整を行う必要が発生する。そのため、組み立てコストが高くなってしまう。また、これらの観察光学系を含んだ装置に衝撃や振動が加わった際に光軸ズレが発生しやすいという問題点が発生する。
【０００８】
さらに、米国特許第５，０９３，５６７号で提案されている光学系は、リレー光学系のため、大型で重量が重くなり、携帯電話や携帯情報端末に付加して使用することが困難になってしまう。
【０００９】
また、米国特許第４，８７４，２１４号で提案されている観察光学系は、球面に球面形状を有するホログラム素子を備えている。ところで、ホログラム素子には、幾何形状による光学的パワーと、ホログラム素子の回折効果による光学的パワーとの２種類が存在する。例えば、球面形状の基板部材にホログラム素子を設けた場合の２種類のパワーを図を用いて説明すると、ホログラム素子は、図２９（ａ）に示すように、ホログラム素子内部の周期構造のピッチ等、干渉縞の密度の違いによるパワーを有し、また、図２９（ｂ）に示すように、その幾何形状による光学的パワーを有する。そして、幾何形状による光学的パワーは、ホログラム基板の曲率半径をＲとした場合、従来の光学屈折レンズ及び反射鏡の場合、次式により光学パワーΦを算出することができる。
【００１０】
屈折系の場合：Φ＝（ｎ−1 ）（１／Ｒ）
表面鏡の場合：Φ＝２／Ｒ
裏面鏡の場合：Φ＝２ｎ／Ｒ
ただし、Φ：幾何形状による光学パワー
ｎ：媒質の屈折率
Ｒ：ホログラム基板の曲率半径
したがって、表面鏡と裏面鏡を比較した場合、幾何形状によってある一定量の光学パワーを得るために、裏面鏡は表面鏡に対して1 ／ｎだけ緩い曲率半径Ｒで構成できることが分かる。
【００１１】
すなわち、裏面鏡のように、反射型ホログラム素子の内部をガラスやプラスチック等の屈折率ｎの媒質で満たすことで、幾何形状を緩い曲率半径Ｒとしても、大きな幾何形状による光学パワーが得られることを意味する。
【００１２】
このように、緩い曲率半径Ｒで、大きな光学パワーを発生させられる構成を光学系に採用することで、このホログラム面で発生する収差を抑制することができるのである。
【００１３】
しかし、上記米国特許第４，８７４，２１４号に記載の観察光学系は、平面と球面との間がガラスやプラスチック媒質で満たされていないため、球面形状を有する幾何形状による光学パワーを必要量確保するために、幾何形状をより小さな曲率半径Ｒで構成する必要がある。
【００１４】
より小さな曲率半径Ｒで幾何形状を構成すると、この反射面で発生する収差が増大し、良好な画像表示が困難となってしまう。また、像面と上記平面との間の光路に光学面が存在しないため、ディストーションを良好に補正することが困難となってしまう。
【００１５】
また、米国特許第４，８７４，２１４号におけるホログラム面は球面である。一般的に、ホログラムを貼り付ける方法としては、基板面にフィルム状のホログラムを貼り付ける方法と、ホログラム記録材料となる液体状のフォトポリマー等を基板面に吹き付ける方法とがあるが、後者の場合、露光及び現像処理を吹きつけ後に行わなければならず、量産性を考慮すると、貼り付け前に露光及び現像処理が可能なフィルム状のホログラム素子を基板に貼り付ける方式が好ましい。
【００１６】
しかし、一般的に、フィルム状のホログラムは、平面状のものがメーカーから供給されており、３次元曲面に平面状のフィルムタイプのホログラム素子を均一に貼り付けることは容易ではない。
【００１７】
本発明はこのような従来技術の問題点を解決するためになされたものであり、その目的は、明るい表示画像の観察が可能であり、組み立てが容易で、振動等の衝撃に強く、軽く、コンパクトで、さらに、良好に収差補正された表示画像の観察が可能な画像表示装置用の観察光学系、さらには撮像光学系、及び、それらを用いた装置を提供することである。
【００１８】
【課題を解決するための手段】
上記目的を達成する本発明の観察光学系は、観察者が観察する観察像を形成する観察像形成部材と、前記観察像形成部材によって形成された観察像を観察者眼球位置に形成される射出瞳に導く接眼光学部材とを有する観察光学系において、
前記接眼光学部材が、少なくとも、第１プリズムと第２プリズムとを含み、
前記第１プリズムが、少なくとも、第１プリズム媒質を間に挟んで、前記観察像からの光線を前記第１プリズム内に入射させる第１入射面と、前記第１プリズム内で光線を反射させる反射面と、前記第１プリズム外に光線を射出させる第１射出面とを有し、
前記第２プリズムが、少なくとも、第２プリズム媒質を間に挟んで、前記第１プリズムから射出した光線を前記第２プリズム内に入射させる第２入射面と、前記第２プリズム外に光線を射出させる第２射出面とを有し、
前記第１プリズムと前記第２プリズムとが、前記第１射出面と前記第２入射面との間にホログラム素子を挟んで接合配置されるように構成され、
前記第１プリズムの前記反射面が、反射時に光線に正のパワーを与えるような凹面形状の曲面に形成され、
前記第１射出面と前記第２入射面とが平面あるいはシリンドリカル面から形成され、
軸上主光線と前記ホログラム素子の基板面とが交わる位置における接平面と前記観察光学系の最も射出瞳側の面から前記射出瞳に到る軸上主光線とのなす角度をθとしたとき、次の条件式（１）を満足するか、あるいは、
前記第１射出面と前記第２入射面とが次の条件式（２）、（３）を満たす球面又はトーリック面から形成され、
軸上主光線と前記ホログラム素子の基板面とが交わる位置における接平面と前記観察光学系の最も射出瞳側の面から前記射出瞳に到る軸上主光線とのなす角度をθとしたとき、次の条件式（１）を満足することを特徴とするものである。
４５°＜θ＜８５°                                    ・・・（１）
【００１９】
−２．０＜Ｄａ／Ｒａ＜２．０                          ・・・（２）
−０．０５＜Ｄｂ／Ｒｂ＜０．０５                      ・・・（３）
ただし、Ｒａ、Ｄａは曲率の大きい方の軸における曲率半径と外径であり、Ｒｂ、Ｄｂは曲率の小さい方の軸における曲率半径と外径である。
【００２０】
また、上記目的を達成する本発明の撮像光学系は、像面に配置された、物体像を撮像する撮像素子と、瞳面に配置された、物体からの光束の明るさを絞る明るさ絞りと、前記像面と前記瞳面との間に配置された、前記物体像を前記像面に導く結像光学部材とを有する撮像光学系において、
前記結像光学部材が少なくとも、第２プリズムと第１プリズムとを含み、
前記第２プリズムが、少なくとも、第２プリズム媒質を間に挟んで、前記明るさ絞りを通過した物体からの光線を前記第２プリズム内に入射させる第３入射面と、前記第２プリズム外に光線を射出させる第３射出面とを有し、
前記第１プリズムが、少なくとも、第１プリズム媒質を間に挟んで、前記第２プリズムから射出した光線を前記第１プリズム内に入射させる第４入射面と、前記第１プリズム内で光線を反射させる反射面と、前記第１プリズム外に光線を射出させる第４射出面とを有し、
前記第２プリズムと前記第１プリズムとが、前記第３射出面と前記第４入射面との間にホログラム素子を挟んで接合配置されるように構成され、
前記第１プリズムの前記反射面が、反射時に光線に正のパワーを与えるような凹面形状の曲面に形成され、
前記第３射出面と前記第４入射面とが平面あるいはシリンドリカル面から形成され、
軸上主光線と前記ホログラム素子の基板面とが交わる位置における接平面と前記絞りから前記撮像光学系の最も絞り側の面に到る軸上主光線とのなす角度をθとしたとき、次の条件式（１）を満足するか、あるいは、
前記第３射出面と前記第４入射面とが次の条件式（２）、（３）をを満たす球面又はトーリック面から形成され、
軸上主光線と前記ホログラム素子の基板面とが交わる位置における接平面と前記絞りから前記撮像光学系の最も絞り側の面に到る軸上主光線とのなす角度をθとしたとき、次の条件式（１）を満足することを特徴とするものである。
４５°＜θ＜８５°                                    ・・・（１）
【００２１】
−２．０＜Ｄａ／Ｒａ＜２．０                          ・・・（２）
−０．０５＜Ｄｂ／Ｒｂ＜０．０５                      ・・・（３）
ただし、Ｒａ、Ｄａは曲率の大きい方の軸における曲率半径と外径であり、Ｒｂ、Ｄｂは曲率の小さい方の軸における曲率半径と外径である。
【００２２】
以下、本発明において上記構成をとる理由と作用を説明する。
【００２３】
まず、観察光学系について説明する。
【００２４】
本発明による観察光学系は、観察者が観察する観察像を形成する観察像形成部材と、前記観察像形成部材によって形成された観察像を観察者眼球位置に形成される射出瞳に導く接眼光学部材とを有する観察光学系において、前記接眼光学部材が、少なくとも、第１プリズムと第２プリズムとを含み、前記第１プリズムが、少なくとも、第１プリズム媒質を間に挟んで、前記観察像からの光線を前記第１プリズム内に入射させる第１入射面と、前記第１プリズム内で光線を反射させる反射面と、前記第１プリズム外に光線を射出させる第１射出面とを有し、前記第２プリズムが、少なくとも、第２プリズム媒質を間に挟んで、前記第１プリズムから射出した光線を前記第２プリズム内に入射させる第２入射面と、前記第２プリズム外に光線を射出させる第２射出面とを有している。
【００２５】
このように、接眼光学部材の内部をガラスやプラスチック材料等で満たすことで、各光学作用面の面形状による光学的パワーを大きくし、球面収差やコマ収差等の収差を良好に補正している。
【００２６】
また、本発明の観察光学系は、上記構成に加えて、前記第１プリズムと前記第２プリズムとが、前記第１射出面と前記第２入射面との間にホログラム素子を挟んで接合配置されるように構成する。
【００２７】
光路を分岐するための斜鏡にホログラム素子を用いれば、反射回折時に１００％近い回折効率を得ることができ、光量損失のない明るい画像表示が可能になる。また、画像表示素子（観察像形成部材）側のプリズムと眼側のプリズムとの２つのプリズムをホログラム素子を挟んで接合させて１つの部材として構成すれば、空気間隔の存在による組み立て時の光軸ズレやセッティングの煩雑性を解消でき、組み立てが容易で、振動等の衝撃に強い観察光学系を達成することができる。
【００２８】
また、ホログラム素子を第１プリズムと第２プリズムで挟んで接合すれば、ホログラム素子を防塵できるので、別個に防塵部材を設けなくてもゴミ等が拡大観察されてしまうのを防ぐことができ、また、外部からのホログラム素子への水分の侵入によりホログラム素子が膨張して回折効率のピーク波長が変化してしまうのを防ぐことができる。
【００２９】
さらに、本発明の観察光学系は、上記構成に加えて、第１プリズムの前記反射面を、反射時に光線に正のパワーを与えるような凹面形状の曲面に形成する。
【００３０】
また、本発明の観察光学系は、画像表示素子から眼の間に中間像を形成しない。すなわち、リレー光学系を持たないため、軽くコンパクトな観察光学系として構成されている。
【００３１】
さらに、本発明の観察光学系は、第１プリズムの第１入射面を、透過時に光線にパワーを与えるような曲面形状に形成し、第２プリズムの第２射出面を、透過時に光線にパワーを与えるような曲面形状に形成することが望ましい。
【００３２】
また、本発明の観察光学系は、第１プリズム媒質と第２プリズム媒質とを、同種の媒質で構成するのが好ましい。
【００３３】
また、本発明の観察光学系は、第１プリズムの第１射出面の面形状と第２プリズムの第２入射面の面形状とを、略同一形状にて構成するのが好ましい。
【００３４】
なお、ここで、略同一形状とは、製造誤差の範囲での面形状の相違は許容する趣旨である。
【００３５】
また、本発明の観察光学系は、第１プリズムと第２プリズムの備えた光線を透過及び反射させる光学作用面以外の非光学作用面に、ゴースト光が観察者の眼球へ入射しないようなゴースト光除去部材を設けるのが好ましい。
【００３６】
ゴースト光除去部材は、第１プリズムの第１入射面を上面と定義したときの接眼光学部材の底面及び側面に設けることが効果的である。さらに、第１入射面内の光線有効径外や、第１プリズムの反射面内の光線有効径外や、第２プリズムの第２射出面内の光線有効径外の領域も非光学作用面に含まれ、この部分にゴースト光除去部材を設けることも有効である。
【００３７】
また、本発明の観察光学系は、第１プリズムの第１入射面の面形状が回転非対称な曲面形状にて構成されているのが好ましい。
【００３８】
このように、画像表示素子等の画像形成部材の前面に透過面（第１プリズムの第１入射面）を配置すれば、ディストーションを良好に補正することができる。なお、この画像形成部材の前面の形状は回転対称面で構成することも可能であるが、観察光学系の小型化を目的として光学作用面を偏心配置した際の偏心収差を補正するためには、自由曲面を用いることが更に望ましい。
【００３９】
また、本発明の観察光学系は、第１プリズムの第１入射面の回転非対称な曲面形状が、対称面が１面のみの自由曲面にて構成され、その唯一の対称面が、光軸の折り返し面（Ｙ−Ｚ平面）に一致しているのが好ましい。
【００４０】
また、本発明の観察光学系は、ホログラム素子が光線を反射回折により回転対称成分と回転非対称成分の両方の倍率色収差を補正するように構成されているのが好ましい。
【００４１】
反射型ホログラム素子で回転対称成分及び回転非対称成分の倍率色収差補正を行うことで高いコントラストが実現できる。
【００４２】
そして、本発明の観察光学系は、第１プリズムと第２プリズムの間に接合配置されるホログラム素子が反射型ホログラムからなるが、そのホログラム素子の面の傾斜角度は、視軸（観察光学系の最も射出瞳側の面から射出瞳に到る軸上主光線）に対して４５°からズレた角度とすることで、観察光学系の全厚を薄型化し、コンパクト化と軽量化を実現することができる。ホログラム素子からなる斜鏡を４５°からズラしたことにより発生する偏心収差を補正するため、画像表示素子からの光をプリズムへ入射する面、反射型ホログラム素子からの回折光を反射する面、眼の前の面にそれぞれ自由曲面を配置し、さらに、反射型ホログラム素子面の基板形状にパワーを持たせることで、良好にコマ収差及び像面湾曲を補正している。
【００４３】
すなわち、図２４に示すように、軸上主光線２とホログラム素子６の基板面とが交わる位置Ａにおける接平面と観察光学系の最も射出瞳側の面４1 から射出瞳１に到る軸上主光線２とのなす角度をθとしたとき、下式を満足することが重要である。
【００４４】
４５°＜θ＜８５°                                    ・・・（１）
この条件（１）の下限の４５°を越えて角度θが小さくなると、ホログラム素子からなる斜鏡の傾きが小さくなりすぎ、観察光学系が厚くなり、大型で重量の重い観察光学系となってしまう。上限の８５°を越えて角度θが大きくなると、観察光学系の偏心量が大きくなりすぎ、偏心収差の補正が困難となり、コントラストが高く、ディストーションが良好に補正された画像観察が困難となる。
【００４５】
さらに望ましくは、下式を満足することが重要である。
【００４６】
５５°＜θ＜８０°                                ・・・（１−１）
この条件式の下限及び上限の意味は前述と同様である。
【００４７】
さらに望ましくは、下式を満足することが重要である。
【００４８】
６５°＜θ＜７５°                                ・・・（１−２）
この条件式の下限及び上限の意味は前述と同様である。
【００４９】
また、本発明の観察光学系は、第１プリズムと第２プリズムとで観察光学系の内部をガラスやプラスチック材料等で満たすことにより、各光学作用面の面形状による光学的パワーを大きくし、コマ収差及び像面湾曲等の収差を良好に補正している。
【００５０】
ところで、本発明において斜鏡に配置している反射型のホログラム素子は、フィルムタイプの平面のホログラム素子であることが一般的であり、この平面のホログラム素子を貼り付ける基板である第１プリズムの第１射出面と第２プリズムの第２入射面の形状は、平面及びシリンドリカル面であることが望ましい。
【００５１】
また、このような平面のホログラム素子を貼り付ける基板として、球面又はトーリック面であっても、次の条件式を満足する場合は、このような平面のホログラム素子を用いて量産化することが可能である。
【００５２】
−２．０＜Ｄａ／Ｒａ＜２．０                          ・・・（２）
−０．０５＜Ｄｂ／Ｒｂ＜０．０５                      ・・・（３）
ただし、Ｒａ、Ｄａは曲率の大きい方の軸における曲率半径と外径であり、Ｒｂ、Ｄｂは曲率の小さい方の軸における曲率半径と外径である。
【００５３】
上記条件式（２）と（３）において、下限のそれぞれ−２．０、−０．０５は凹面に対してホログラム素子の貼り付けの場合の制限であり、上限のそれぞれ２．０、０．０５は凸面に対して貼り付けの場合の制限である。上記条件式の上下限の限界を越えると、曲面の周辺部で平面のホログラム素子が皺になるため、均一な貼り合わせが困難となり、ホログラム素子の光学的な性能が得られなくなる。
【００５４】
さらに望ましくは、下式を満足することが重要である。
【００５５】
−２．０＜Ｄａ／Ｒａ＜２．０                      ・・・（２−１）
−０．０２＜Ｄｂ／Ｒｂ＜０．０２                  ・・・（３−１）
これらの条件式の下限及び上限の意味は前述と同様である。
【００５６】
さらに望ましくは、下式を満足することが重要である。
【００５７】
−２．０＜Ｄａ／Ｒａ＜２．０                      ・・・（２−２）
−０．０１５＜Ｄｂ／Ｒｂ＜０．０１５              ・・・（３−２）
これらの条件式の下限及び上限の意味は前述と同様である。
【００５８】
また、本発明の観察光学系は、第２プリズムの第２射出面の面形状が、接眼光学部材で発生する回転非対称なコマ収差又は非点収差の少なくとも一方の回転非対称な収差を補正する作用を持った回転非対称な曲面形状にて構成されているのが好ましい。
【００５９】
また、本発明の観察光学系は、第２プリズムの第２射出面の回転非対称な曲面形状は、対称面が１面のみの自由曲面にて構成され、前記唯一の対称面は、光軸の折り返し面（Ｙ−Ｚ平面）に一致しているのが好ましい。
【００６０】
また、本発明において、第１プリズムを構成する面及び第２プリズムを構成する面は、回転非対称なディストーション補正やテレセントリック性の良好な光学系とするために自由曲面等の回転非対称な面が望ましいが、球面、非球面、アナモルフィック面等の回転対称な面で構成することも可能である。
【００６１】
本発明の観察光学系では、観察像形成部材で形成された観察像からの光束を第１入射面を透過させることで第１プリズム内に入射させ、入射した光束を体積型ホログラムに対し角度選択性の範囲内にある第１の入射角度で入射させて反射回折させた後に、反射面で反射させている。反射された光束は体積型ホログラム面に第２の入射角度でもって再入射するが、体積型ホログラムの角度選択性の範囲から外れるため、回折効率が極めて低くなり、実質的にはそのまま第１射出面を素通りして、第２入射面を透過して第２プリズム内へと射出される。
【００６２】
第２プリズム内へ入射した光束は、第２射出面をそのまま透過し、第２プリズムから射出されて、観察者の眼球へと導かれることとなる。
【００６３】
なお、本発明の観察光学系は、第１プリズムの第１入射面と観察像形成部材との間に、例えば、プリズム、平行平板状のガラス、あるいは正又は負レンズ等の光学部材を配置してもよい。
【００６４】
また、本発明の観察光学系は、第２プリズムの第２射出面と射出瞳との間に、例えば、プリズム、平行平板状のガラス、あるいは、正又は負レンズ等の光学部材を配置してもよい。
【００６５】
ところで、例えば画像表示素子にＬＣＤ（液晶表示素子）等の画像表示素子の場合、テレセントリック性の良好な光学系で拡大表示することが高コントラストな画像表示をするために必要である。また、後記するように、本発明の光学系のこれらの構成は、観察光学系だけでなく撮像光学系への適用も可能であるが、その場合に、ＣＣＤ等の撮像素子を用いる際にも、テレセントリック性の良好な光学系で撮像することが、シェーディング等を防ぐために重要である。
【００６６】
本発明においては、光学系全系の焦点距離に対してアイリリーフが長いため、画像表示素子に対して軸外光束の主光線が収束していく方向に傾いている。光学系のテレセントリック性を高くし、小型で、さらにアイリリーフの長い光学系を実現するためには、光路中の画像表示素子（撮像素子）近くに負のパワーを配置し、眼側（物体側）に正のパワーを配置することが望ましい。
【００６７】
これはレトロフォーカスタイプの光学系を反転した構成となる。すなわち、光学系中で画像表示素子に近い斜鏡面に負のパワーを持つことが重要であり、特に、アスペクトの異なるような画面全面でテレセントリック性を確保すためには、斜鏡面のアスペクト比が大きいほうの軸に対応する斜鏡面の負のパワーが大きいことが重要である。
【００６８】
また、Ｘ軸方向に無偏心である場合（後記の全ての実施例）、画像表示素子のＸ軸方向の長さがＤｘ、Ｙ軸方向の長さがＤｙであるとき、つまり、アスペクト比がＤｘ：Ｄｙであるとき、かつ、斜鏡面のＸ軸方向の曲率半径がＲｘでＹ軸方向の曲率半径がＲｙあるとき、次の条件式を満足するならば、テレセントリック性を確保でき、光学性能が良好である。
【００６９】
−１．０≦Ｄｘ／Ｒｘ≦０                              ・・・（４）
−１．０≦Ｄｘ／Ｒｙ≦０                              ・・・（５）
これらの条件式の上限の０を越えるときは、斜鏡面が正のパワーを持つため、主光線傾角がさらに収束する方向へ傾き、コントラストの高い画像を画像表示素子から取り込めなくなり、下限の−１．０を越えるときは、画像表示素子が大きすぎるか、斜鏡面の負のパワーが大きすぎるために、主光線傾角が発散気味になり、コントラストの高い画像を画像表示素子から取り込めなくなる。
【００７０】
さらに望ましくは、下式を満足することが重要である。
【００７１】
−０．５≦Ｄｘ／Ｒｘ≦０                          ・・・（４−１）
−０．５≦Ｄｘ／Ｒｙ≦０                          ・・・（５−１）
これらの条件式の下限及び上限の意味は前述と同様である。
【００７２】
さらに望ましくは、下式を満足することが重要である。
【００７３】
−０．１≦Ｄｘ／Ｒｘ≦０                          ・・・（４−２）
−０．１≦Ｄｘ／Ｒｙ≦０                          ・・・（５−２）
これらの条件式の下限及び上限の意味は前述と同様である。
【００７４】
以上のような構成にすれば、平面及びシリンドリカル面の基板形状を持つ斜鏡面にホログラム素子を用いるか、平面のホログラム素子の貼り付けた場合に周辺部でホログラム素子が皺にならない条件（２）、（３）を満たす球面又はトーリック面の基板形状を持つ斜鏡面にホログラム素子を用いることによって、光路分岐のためのハーフミラーを設けたり、空気間隔を設ける必要がないので、光量ロスが少なく明るい表示画像の観察が可能であり、しかも、組み立てが容易で、振動等の衝撃に強く、軽く、コンパクトで、さらに、ホログラムの貼り合わせが容易で、かつ、良好に補正された表示画像の観察が可能な観察光学系及びそれを用いた装置が得られる。
【００７５】
なお、本発明の光学系のこれらの構成は、観察系だけでなく撮像系への適用も可能である。
【００７６】
本発明の撮像光学系は、像面に配置された、物体像を撮像する撮像素子と、瞳面に配置された、物体からの光束の明るさを絞る明るさ絞りと、前記像面と前記瞳面との間に配置された、前記物体像を前記像面に導く結像光学部材とを有する撮像光学系において、前記結像光学部材が少なくとも、第２プリズムと第１プリズムとを含み、前記第２プリズムが、少なくとも、第２プリズム媒質を間に挟んで、前記明るさ絞りを通過した物体からの光線を前記第２プリズム内に入射させる第３入射面と、前記第２プリズム外に光線を射出させる第３射出面とを有し、前記第１プリズムが、少なくとも、第１プリズム媒質を間に挟んで、前記第２プリズムから射出した光線を前記第１プリズム内に入射させる第４入射面と、前記第１プリズム内で光線を反射させる反射面と、前記第１プリズム外に光線を射出させる第４射出面とを有している。また、前記第２プリズムと前記第１プリズムとを、前記第３射出面と前記第４入射面との間にホログラム素子を挟んで接合配置されるように構成する。さらに、前記第１プリズムの有する前記反射面を、反射時に光線に正のパワーを与えるような凹面形状の曲面に形成する。
【００７７】
そして、前記第３射出面と前記第４入射面とを平面あるいはシリンドリカル面から形成する。
【００７８】
あるいは、次に条件を満たす球面又はトーリック面から形成する。
【００７９】
−２．０＜Ｄａ／Ｒａ＜２．０                          ・・・（２）
−０．０５＜Ｄｂ／Ｒｂ＜０．０５                      ・・・（３）
ただし、Ｒａ、Ｄａは曲率の大きい方の軸における曲率半径と外径であり、Ｒｂ、Ｄｂは曲率の小さい方の軸における曲率半径と外径である。
【００８０】
すなわち、本発明の観察光学系における、観察像形成部材、射出瞳、及び、接眼光学部材を、本発明の撮像光学系では、撮像素子、明るさ絞り、及び、結像光学系にそれぞれ置き換えて構成する。
【００８１】
そして、撮像光学系においても、上述の条件式等、観察光学系に準じた構成とすると好ましい。
【００８２】
その他、本発明の観察光学系は、前記第１プリズムの前記反射面をミラーコーティングして構成すればよい。
【００８３】
また、前記第１プリズムの前記反射面を、光束が該反射面に対して全反射臨界角を越えた入射角度で入射したときには反射し、全反射臨界角を越えない入射角度で入射したときには透過させるような全反射面となるように構成してもよい。また、さらに前記第１プリズムの前記反射面側に光を透過する光学部材を設けてもよい。
【００８４】
このように構成すれば、シースルー観察が可能となり、通常の外部観察に支障を来たすことなく、本発明の観察光学系を用いた頭部又は顔面装着式画像表示装置を装着し続けることができ、頭部又は顔面装着式画像表示装置の着脱の手間を省くことができる。
【００８５】
また、外部の観察像と画像表示素子からの像とを重ねあわせた多重像を観察することもできる。
【００８６】
なお、シースルー観察を可能とするために、前記第１プリズムの前記反射面をハーフミラーで構成してもよい。
【００８７】
また、画像表示素子と、以上のような本発明の何れかの観察光学系を接眼光学系として配置した本体部と、前記観察光学系の射出瞳を観察者の眼球位置に保持するように前記本体部を観察者頭部に支持する支持部材と、前記観察者の耳に音声を与えるスピーカー部材とを有して頭部装着型画像表示装置を構成することができる。
【００８８】
その場合の頭部装着型画像表示装置は、前記本体部が、右眼用の観察光学系と左眼用の観察光学系とを備え、前記スピーカー部材が、右耳用スピーカー部材と左耳用スピーカー部材とを有するように構成してもよい。
【００８９】
また、この頭部装着型画像表示装置は、前記スピーカー部材がイヤホンで構成されていてもよい。
【００９０】
なお、本発明の光学系において、観察光学系では逆光線追跡、撮像光学系では順光線追跡で、物点中心を通り、観察光学系では瞳、撮像光学系では明るさ絞りの中心を通過して像面の中心に到達する光線を軸上主光線としたとき、少なくとも１つの反射面が軸上主光線に対して偏心していないと、軸上主光線の入射光線と反射光線が同一の光路を通ることとなり、軸上主光線が光学系中で遮断されてしまう。その結果、中心部が遮光された光束のみで像を形成することになり、中心が暗くなったり、中心では全く像を結ばなくなったりしてしまう。そこで、本発明に用いるプリズムには偏心プリズムを用いている。
【００９１】
また、パワーを付けた反射面を軸上主光線に対して偏心させた場合、本発明で用いられるプリズムを構成する面の中、少なくとも１つの面は回転非対称な面であることが望ましい。その中でも、特に、プリズムの少なくとも１つの反射面を回転非対称な面にすることが収差補正上は好ましい。
【００９２】
光路を折り曲げて、共通領域の光路を重複して利用するためには、光学系を偏心配置する必要がある。しかし、このように光路を折り曲げるために光学系を偏心光学系とすると、回転非対称なディストーションや回転非対称な像面湾曲等の偏心収差が発生する。この偏心収差を補正するために回転非対称な面を上述のように用いる。
【００９３】
また、本発明で用いる回転非対称な面は、アナモルフィック面、トーリック面、対称面を１面のみ有する面対称自由曲面で構成することができる。なお、好ましくは、対称面を１面のみ有する自由曲面で構成するとよい。
【００９４】
なお、本発明では、軸上主光線を、観察光学系においては、射出瞳中心を通り観察像形成部材の中心に到達する光線で逆光線追跡で、撮像光学系においては、明るさ絞りの中心を通り撮像素子の中心に到達する光線で順光線追跡で定義する。そして、軸上主光線が射出瞳又は明るさ絞りの中心から第２プリズムの第２射出面に交差するまでの直線によって定義される光軸をＺ軸と定義し、また、このＺ軸と直交し、かつ、第２プリズムを構成する各面の偏心面内の軸をＹ軸と定義し、さらに、Ｚ軸と直交し、かつ、Ｙ軸と直交する軸をＸ軸と定義する。また、射出瞳又は明るさ絞りの中心を本発明の観察光学系又は撮像光学系における座標系の原点とする。また、本発明においては、上述のように射出瞳から観察像形成部材に向かう逆光線追跡、又は明るさ絞りから撮像素子に向かう順光線追跡で面番号をつけることとし、軸上主光線が、射出瞳から観察像形成部材に至る方向又は明るさ絞りから撮像素子に至る方向をＺ軸の正方向、観察像形成部材に向かうＹ軸の方向又は撮像素子に向かうＹ軸の方向をＹ軸の正方向、Ｙ軸とＺ軸と右手系を構成するＸ軸の方向をＸ軸の正方向とそれぞれ定義する。
【００９５】
ここで、本発明で使用する自由曲面は、次式（ａ）により定義する。なお、その定義式のＺ軸が自由曲面の軸となる。
【００９６】
0004812181.tif 000002
ここで、（ａ）式の第１項は球面項、第２項は自由曲面項である。
【００９７】
球面項中、
ｃ：頂点の曲率
ｋ：コーニック定数（円錐定数）
ｒ＝√（Ｘ2 ＋Ｙ2 ）
である。
【００９８】
0004812181.tif 000003
ただし、Ｃj （ｊは２以上の整数）は係数であり、ｊ＝｛（ｍ＋ｎ）2 ＋ｍ＋３ｎ｝／２＋１（ｍ，ｎは０以上の整数）の関係にある。
【００９９】
上記自由曲面は、一般的には、Ｘ−Ｚ面、Ｙ−Ｚ面共に対称面を持つことはないが、本発明では、Ｘの奇数次項を全て０にすることによって、Ｙ−Ｚ面と平行な対称面が１つだけ存在する自由曲面となる。このような自由曲面は、例えば、上記定義式においては、Ｃ2 、Ｃ5 、Ｃ7 、Ｃ9 、Ｃ12、Ｃ14、Ｃ16、Ｃ18、Ｃ20、Ｃ23、Ｃ25、Ｃ27、Ｃ29、Ｃ31、Ｃ33、Ｃ35・・・の各項の係数を０にすることによって達成することが可能である。
【０１００】
また、Ｙの奇数次項を全て０にすることによって、Ｘ−Ｚ面と平行な対称面が１つだけ存在する自由曲面となる。このような自由曲面は、例えば、上記定義式においては、Ｃ3 、Ｃ5 、Ｃ8 、Ｃ10、Ｃ12、Ｃ14、Ｃ17、Ｃ19、Ｃ21、Ｃ23、Ｃ25、Ｃ27、Ｃ30、Ｃ32、Ｃ34、Ｃ36・・・の各項の係数を０にすることによって達成することが可能である。
【０１０１】
また、上記対称面の方向の何れか一方を対称面とし、それに対応する方向の偏心、例えば、Ｙ−Ｚ面と平行な対称面に対して光学系の偏心方向はＹ軸方向に、Ｘ−Ｚ面と平行な対称面に対しては光学系の偏心方向はＸ軸方向にすることで、偏心により発生する回転非対称な収差を効果的に補正しながら同時に製作性も向上させることが可能となる。
【０１０２】
また、上記定義式（ａ）は、上述のように１つの例として示したものであり、本発明において、対称面を１面のみ有する回転非対称面を用いることで偏心により発生する回転非対称な収差を補正し、同時に製作性も向上させるという特徴を有しているが、上記定義式（ａ）以外の他のいかなる定義式に対しても同様の効果が得られることは言うまでもない。
【０１０３】
本発明において、プリズムに設けられた反射面の形状を、唯一の対称面を１面のみ有した面対称自由曲面形状にて構成することができる。
【０１０４】
また、アナモルフィック面の形状は次の式（ｂ）により定義される。なお、面形状の原点を通り、光学面に垂直な直線がアナモルフィック面の軸となる。
【０１０５】
0004812181.tif 000004
ここで、例としてｎ＝４（４次項）を考えると、上記式（ｂ）は、展開したとき、次式（ｃ）で表わすことができる。
【０１０６】
0004812181.tif 000005
ただし、Ｚは面形状の原点に対する接平面からのずれ量、ＣｘはＸ軸方向曲率、ＣｙはＹ軸方向曲率、ＫｘはＸ軸方向円錐係数、ＫｙはＹ軸方向円錐係数、Ｒｎは球面項回転対称成分、Ｐｎは非球面項回転非対称成分である。なお、Ｘ軸方向曲率半径Ｒｘ、Ｙ軸方向曲率半径Ｒｙと曲率Ｃｘ，Ｃｙとは、
Ｒｘ＝１／Ｃｘ，Ｒｙ＝１／Ｃｙ
の関係にある。
【０１０７】
また、トーリック面にはＸトーリック面とＹトーリック面があり、それぞれ次の式（ｄ）、（ｅ）により定義される。面形状の原点を通り、光学面に垂直な直線がトーリック面の軸となる。
【０１０８】
Ｘトーリック面は、次の式（ｄ）で定義される。
【０１０９】
0004812181.tif 000006
Ｙトーリック面は、次の式（ｅ）で定義される。
【０１１０】
0004812181.tif 000007
ただし、Ｚは面形状の原点に対する接平面からのずれ量、ＣｘはＸ軸方向曲率、ＣｙはＹ軸方向曲率、Ｋは円錐係数、Ａ，Ｂ，Ｃ，Ｄは非球面係数である。なお、Ｘ軸方向曲率半径Ｒｘ、Ｙ軸方向曲率半径Ｒｙと曲率Ｃｘ，Ｃｙとは、
Ｒｘ＝１／Ｃｘ，Ｒｙ＝１／Ｃｙ
の関係にある。
【０１１１】
また、ホログラム素子には、レリーフ型ホログラムと体積型ホログラムがある。レリーフ型ホログラムは、入射角選択性や波長選択性が小さく、特定の入射角、波長の光を回折して必要次数光として結像させるが、それ以外の入射角、波長の光についても、回折効率が低下した状態で回折してしまい、不要次数光として結像させてしまうという性質を有する。一方、体積型ホログラムは入射角選択性や波長選択性が高く、特定の波長、入射角の光のみを回折して必要次数光として結像させ、それ以外の光については殆どを０次光として透過させてしまい、不要次数光を結像させ難いという特性を有している。
【０１１２】
したがって、本発明に用いるホログラム素子として反射型体積ホログラムを用いれば、不要次数光による像ブレの発生を防ぐことができ、鮮明な観察画像を得ることができる。
【０１１３】
なお、本発明におけるホログラム素子である体積型ホログラム（ＨＯＥ）は以下のように定義する。図２５は本発明におけるＨＯＥを定義するための原理図である。
【０１１４】
まず、ＨＯＥ面に入射し、さらに射出する波長λの光線追跡は、基準波長λ0 ＝ＨＷＬに対して定義されるＨＯＥ面上での光路差関数Φ0 を用いて、次式（ｆ）で与えられる。
【０１１５】
ｎd Ｑd ×Ｎ＝ｎi Ｑi ×Ｎ＋ｍ（λ／λ0 ）∇Ф0 ×Ｎ  ・・・（ｆ）
ただし、ＮはＨＯＥ面の法線ベクトル、ｎi （ｎd ）は入射側（射出側）の屈折率、Ｑi （Ｑd ）は入射（射出）ベクトル（単位ベクトル）である。また、ｍ＝ＨＯＲは射出光の回折次数である。
【０１１６】
ＨＯＥが基準波長λ0 の２点光源、すなわち、図２５に示すように、点Ｐ1 ＝（ＨＸ１，ＨＹ１，ＨＺ１）を光源とする物体光、及び、点Ｐ2 ＝（ＨＸ２，ＨＹ２，ＨＺ２）を光源とする参照光の干渉によって製造される（定義される）とすれば、
Φ0 ＝Φ02P ＝ｎ2 ・ｓ2 ・ｒ2 −ｎ1 ・ｓ1 ・ｒ1 
となる。ただし、ｒ1 （ｒ2 ）は点Ｐ1 （点Ｐ2 ）からＨＯＥ面の所定の座標Ｐまでの距離（＞０）、ｎ1 （ｎ2 ）は製造時（定義時）にＨＯＥを置く媒質の点Ｐ1 （点Ｐ2 ）を配置した側の屈折率であり、ｓ1 ＝ＨＶ１、及び、ｓ2 ＝ＨＶ２は光の進行方向を考慮する符号である。この符号は、光源が発散光源（実点光源）である場合に、ＲＥＡ＝＋１、逆に光源が収束する光源（仮想点光源）の場合にＶＩＲ＝−１となる。なお、レンズデータ中におけるＨＯＥの定義として、製造時（定義時）にＨＯＥを置く媒質の屈折率ｎ1 （ｎ2 ）は、レンズデータ中でＨＯＥ面が接している媒質の、点Ｐ1 （点Ｐ2 ）が存在する側の屈折率とする。
【０１１７】
一般的な場合、ＨＯＥを製造する際の参照光と物体光は球面波とは限らない。
この場合のＨＯＥの光路差関数Φ0 は、多項式で表した付加的な位相項Φ0 Poly（基準波長λ0 における光路差関数）を加えて次式（ｇ）で表わすことができる。
【０１１８】
0004812181.tif 000008
ここで、多項式は、
0004812181.tif 000009
であり、一般には、
0004812181.tif 000010
で定義することができる。ただし、Ｈj は各項の係数である。
【０１１９】
さらに光学設計の便宜から、光路差関数Φ0 を、
Φ0 ＝Φ0 Poly
のように付加項のみで表し、それによってＨＯＥを定義することもできる。例えば、２点光源Ｐ1 （点Ｐ2 ）を一致させると光路差関数Φ0 の干渉による成分Φ02P はゼロとなるので、この場合は実質的に付加項（多項式）のみで光路差関数を表示したことに相当する。
【０１２０】
以上のＨＯＥに関する説明は、全てＨＯＥ原点を基準とするローカル座標に対するものである。
【０１２１】
以下に、ＨＯＥを定義する構成パラメータの例を示す。
0004812181.tif 000011
【０１２２】
また、本発明に用いる体積型ホログラム面において反射回折及び透過させる原理を説明する。回折効率のシミュレーションをＫｏｇｅｌｎｉｋの理論に基づきＳ偏光成分光の回折効率をシミュレーションしたものを示す。このシミュレーションは後記の実施例１についてであるが、他の実施例についても同様である。
【０１２３】
この実施例では、光源としてＲ，Ｇ，Ｂバンドの光用に中心波長がそれぞれ６３０ｎｍ、５２０ｎｍ、４７０ｎｍのＬＥＤ光源に狭帯域フィルターを用いて、各バンド幅を中心波長±５ｎｍ〜１０ｎｍ程度に狭めたものを用い、例としてＧバンドの軸上主光線における体積型ホログラム面での回折効率の計算結果を示す。なお、基準屈折率は１．５、屈折率変調を０．０５、ホログラム素子の厚さを１０μｍした場合の計算結果である。体積型ホログラム面への軸上主光線の入射角を４７．３°、反射回折角度を４６．９°とした場合の回折効率を図２６、図２７に示す。図２６は波長が５２０ｎｍの軸上主光線の入射角（横軸）に対する回折効率（縦軸）、図２７は波長（横軸）に対する入射角度が４７．３°の軸上主光線の回折効率（縦軸）をそれぞれ示すグラフである。
【０１２４】
図２６によると、入射角４７．３°近傍では略１００％の高い回折効率が得られることが分かる。また、図２７によると波長５２０ｎｍ±２０ｎｍ程度の範囲では良好な反射回折効率が得られることが分かる。一方、反射回折後に第１プリズムの反射面で反射された光線は、再度体積型体積型ホログラム面へ入射するが、その際の軸上主光線は入射角１８．７°で入射する。この場合は、体積型ホログラム素子の高い回折効率を有する角度選択性の範囲から外れ、約０％に近い低い回折効率となるため、光線はそのまま通過することが図２６から分かる。
【０１２５】
以上のことは、ＲバンドやＢバンドについても同様である。また、上記のホログラム素子に、液晶を用いたスイッチングホログラム素子を用いることも可能である。
【０１２６】
【発明の実施の形態】
以下、本発明の観察光学系及び撮像光学系の実施例について説明する。
【０１２７】
なお、実施例１〜５の構成パラメータは後に示すことにする。各実施例においては、例えば図１に示すように、軸上主光線２を、射出瞳１（又は、明るさ絞り１４）の中心（観察者眼球の旋回中心位置）から第２プリズム４、第１プリズム３、観察像形成部材として設けられたＬＣＤ５（又は、撮像素子１３）の中心に至る光線で定義する。そして、軸上主光線２が第２プリズム４の射出瞳１側の面４1 に交差するまでの直線によって定義される光軸をＺ軸とし、このＺ軸と直交し、かつ、プリズムを構成する各面の偏心面内の軸をＹ軸と定義し、前記光軸と直交し、かつ、前記Ｙ軸と直交する軸をＸ軸と定義する。また、射出瞳１（又は、明るさ絞り１４）の中心をこの座標系の原点とする。そして、軸上主光線２が射出瞳１（又は、明るさ絞り１４）からＬＣＤ５（又は、撮像素子１３）に至る方向をＺ軸の正方向、ＬＣＤ５（又は、撮像素子１３）に向かうＹ軸の方向をＹ軸の正方向、Ｙ軸とＺ軸と右手系を構成するＸ軸の方向をＸ軸の正方向とそれぞれ定義する。
【０１２８】
実施例１〜５では、第１プリズム３及び第２プリズム４はこのＹ−Ｚ平面内で偏心を行っており、また、第１プリズム３及び第２プリズム４に設けられる各回転非対称自由曲面の唯一の対称面をＹ−Ｚ面としている。
【０１２９】
偏心面については、光学系の原点の中心からその面の面頂位置の偏心量（Ｘ軸方向、Ｙ軸方向、Ｚ軸方向をそれぞれＸ，Ｙ，Ｚ）と、その面の中心軸（自由曲面については、前記の（ａ）式のＺ軸、トーリック面については、前記の（ｄ）式、（ｅ）式のＺ軸）のＸ軸、Ｙ軸、Ｚ軸それぞれを中心とする傾き角（それぞれα，β，γ（°））とが与えられている。その場合、αとβの正はそれぞれの軸の正方向に対して反時計回りを、γの正はＺ軸の正方向に対して時計回りを意味する。なお、面の中心軸のα，β，γの回転のさせ方は、面の中心軸とそのＸＹＺ直交座標系を、まずＸ軸の回りで反時計回りにα回転させ、次に、その回転した面の中心軸を新たな座標系のＹ軸の回りで反時計回りにβ回転させると共に１度回転した座標系もＹ軸の回りで反時計回りにβ回転させ、次いで、その２度回転した面の中心軸を新たな座標系の新たな座標系のＺ軸の回りで時計回りにγ回転させるものである。
【０１３０】
また、各実施例の光学系を構成する光学作用面の中、特定の面とそれに続く面が共軸光学系を構成する場合には面間隔が与えられており、その他、球面の曲率半径、媒質の屈折率、アッベ数が慣用法に従って与えられている。
【０１３１】
また、本発明で用いられる自由曲面の面の形状は、前記の（ａ）式により定義される自由曲面であり、その定義式のＺ軸が自由曲面の軸となる。
【０１３２】
また、自由曲面の他の定義式として、Ｚｅｒｎｉｋｅ多項式がある。この面の形状は次式（ｈ）により定義する。その定義式（ｈ）のＺ軸がＺｅｒｎｉｋｅ多項式の軸となる。回転非対称面の定義は、Ｘ−Ｙ面に対するＺの軸の高さの極座標で定義され、ＲはＸ−Ｙ面内のＺ軸からの距離、ＡはＺ軸回りの方位角で、Ｘ軸から測った回転角で表せられる。
【０１３３】
0004812181.tif 000012
ただし、Ｄm （ｍは２以上の整数）は係数である。なお、Ｘ軸方向に対称な光学系として設計するには、Ｄ4 ，Ｄ5 ，Ｄ6 、Ｄ10，Ｄ11，Ｄ12，Ｄ13，Ｄ14，Ｄ20，Ｄ21，Ｄ22…を利用する。
【０１３４】
また、回転非対称面な自由曲面の形状は次の式（ｉ）により定義することもできる。その定義式（ｉ）のＺ軸が回転非対称面の軸となる。
【０１３５】
Ｚ＝Σn Σm ＣnmＸn Ｙn-m                           ・・・・（ｉ）
ただし、Σn はΣのｎが０〜ｋ、Σm はΣのｍが０〜ｎを表わす。
【０１３６】
なお、本発明の実施例１〜５では、前記（ａ）式を用いた自由曲面で面形状が表現されているが、上記（ｈ）式、（ｉ）式を用いても同様の作用効果が得られるのは言うまでもない。
【０１３７】
以下、実施例１〜５について具体的に説明する。これら実施例では、観察光学系を用いた画像表示装置として説明する。
【０１３８】
本発明の実施例１〜５に係る観察光学系の光軸を含むＹ−Ｚ断面図をそれぞれ図１〜図５に示す。これら実施例の観察光学系は、像面側に観察者が観察する画像を表示する画像形成部材として配置されたＬＣＤ５と、画像形成部材によって形成された観察像を観察するために観察者の眼球位置（瞳面）に形成する射出瞳１に導く接眼光学部材を有している。
【０１３９】
接眼光学部材は、第１プリズム３と、第２プリズム４を含んで構成されている。
【０１４０】
なお、各実施例の説明において、光学系の面番号は原則として射出瞳１からＬＣＤ５に至る順番で追跡（逆光線追跡）し、第１及び第２プリズムにおける各面の順番も逆光線追跡に合わせて表すこととする。また、光学系を介して射出瞳１とＬＣＤ５とを結ぶ光路内を進む光束を第１光束と言うこととする。
【０１４１】
第１プリズム３は、ガラス又はプラスチック等の透明なプリズム媒質を挟んで、第１入射面３3 、反射面３2 、第１射出面３1 を有している。
【０１４２】
第２プリズム４は、ガラス又はプラスチック等の透明なプリズム媒質を挟んで、第２入射面４2 、第２射出面４1 を有している。
【０１４３】
第１プリズム３と第２プリズム４とは、その間にホログラム素子として反射型体積ホログラム（ＨＯＥ）６を挟んで接合されている。
【０１４４】
なお、第１プリズム３のプリズム媒質と第２プリズム４のプリズム媒質は、共にガラス又は共にプラスチックというように、同じ媒質で構成されている。
【０１４５】
第１プリズム３の第１入射面３3 は、何れの実施例も、ＬＣＤ５側に配置されていて、観察像からの光線を透過して第１プリズム３内に入射させる作用を有し、透過時にその光線にパワーを与えるような対称面が１面のみの自由曲面形状に形成されている。
【０１４６】
反射面３2 は、第１プリズム３内で光線を反射させる作用を有し、何れの実施例も、反射時に光線に正のパワーを与えるような凹面形状の曲面（ここでは自由曲面）に形成されている。また、反射面３2 には、ミラーコーティングが施されている。
【０１４７】
第１射出面３1 は、実施例１はＸ軸方向に曲率を有し、Ｙ軸方向では曲率を持たないシリンドリカル面で、実施例２はＸ軸方向に曲率を持たず、Ｙ軸方向で曲率を有するシリンドリカル面で、実施例３は平面で、実施例４はＸ軸方向の曲率とＹ軸方向の曲率の曲率が異なるトーリック面で、実施例５は球面で、それぞれ形成され、第１プリズム３外に光線を射出させる作用を有する。
【０１４８】
第２プリズムの第２入射面４2 は、第１プリズム３側に配置されていて、第１プリズム３から射出した光線を透過して第２プリズム４内に入射させる作用を有し、それぞれの実施例で第１プリズム３の第１射出面３1 と略同一の形状で構成されている。
【０１４９】
第２射出面４1 は、第２プリズム４外に光線を射出させる作用を有し、何れの実施例も、透過時に光線にパワーを与えるような対称面が一面のみの自由曲面形状に形成されており、前記接眼光学部材で発生する回転非対称なコマ収差又は非点収差の少なくとも一方の回転非対称な収差を補正する作用を有している。
【０１５０】
なお、第１プリズム３の第１入射面３3 、反射面３2 、第２プリズム４の第２射出面４1 の自由曲面における唯一の対称面は、光軸の折り返し面（Ｙ−Ｚ面）に一致している（図１〜図５参照）。
【０１５１】
体積型ホログラム６は、上述のように、第１光束が第１の入射角度（例えば、実施例１の場合は、波長５２０ｎｍの光線については、４７．３°）で入射したときにはその光束を回折反射し、第１光束が第１の入射角度以外の角度で入射したときには、その光束を透過させるように構成されている。
【０１５２】
そして、実施例１〜５の観察光学系では、ＬＣＤ５から射出された第１光束は、第１入射面３3 を透過して第１プリズム３の内部に入射した後、第１射出面３1 に貼り付けられた体積型ホログラム６に対し第１の入射角度で入射する。このとき、入射した第１光束は、体積型ホログラム６面において１００％近い反射回折効率でもって回折反射され、反射面３2 に向かい反射面３2 で反射されて、第１射出面３1 に貼り付けられた体積型ホログラム６に対し第１の入射角度以外の入射角度で入射する。このときの入射角度は、体積型ホログラム６の高い回折効率を有する回折効率の角度選択性より外れるため、第１光束の入射光は、体積型ホログラム６を透過して、第１プリズム３から射出する。その後、第１光束は、第２プリズム４の第２入射面４1 を透過して第２プリズム４の内部に入射し、第２射出面４2 を透過することによって第２プリズム４から射出して射出瞳１側に導かれる。
【０１５３】
なお、本発明の実施例１〜５においては、観察光学系として説明することとしているが、観察光学系の像面にＬＣＤ５に換えて撮像素子１３を配置し、瞳面（射出瞳１の位置）に物体からの光束の明るさを絞る明るさ絞り１４を配置することにより、撮像光学系として構成することができる。
【０１５４】
その場合には、第１プリズム３の第１入射面３3 は、第１プリズム３外に光線を射出させる面（第４射出面）として作用し、第１射出面３1 は、第２プリズム４から射出した光線を第１プリズム３内に入射させる面（第４入射面）として作用する。また、第２プリズム４の第２入射面４2 は、第２プリズム４外に光線を射出させる面（第３射出面）として作用し、第２射出面４1 は、明るさ絞り１４を通過した物体からの光線を第２プリズム４内に入射させる面（第３入射面）として作用する。
【０１５５】
そして、本発明を撮像光学系として構成した場合には、明るさ絞り１４を通過した物体からの光線は、第２プリズム４の第３入射面４1 を透過して第２プリズム４内に入射した後、第２プリズム４の第３射出面４2 に貼り付けられた体積型ホログラム６に対し第１の入射角度以外の入射角度で入射する。このときの入射角度は、体積型ホログラム６の高い回折効率を有する回折効率の角度選択性より外れるため、第１光束の入射光は、体積型ホログラム６を透過して、第２プリズム４から射出し、次いで、第１プリズムの第４入射面３1 を透過して第１プリズム３内に入射する。その後、光束は、第１プリズム３の反射面３2 に向かい反射面３2 で反射されて、第４入射面３1 に貼り付けられた体積型ホログラム６に対し略第１の入射角度（例えば、実施例１の場合は、波長５２０ｎｍの光線については、４７．３°）で入射する。このとき、入射した第１光束は、体積型ホログラム６により１００％近い反射回折効率でもって回折反射されて、第４射出面３3 を透過して、第１プリズム３を射出して、撮像素子１３に導かれる。
【０１５６】
その他、体積型ホログラムは、Ｒ，Ｇ，Ｂの３層を貼り合わせて構成されており、カラー像を観察することができるようになっている。
【０１５７】
実施例１〜５において、何れも、用いる画像表示素子は、対角長０．５５インチ、アスペクト比４：３であり、サイズは縦８．４４８ｍｍ×横１１．２６４ｍｍである。また、中心視度は−１．０Ｄであり、観察画角は水平全画角３０．０°、垂直全画角２２．７°であり、瞳径はφ４ｍｍである。アイリリーフは、実施例１が２８．３４ｍｍ、実施例２が２７．９３ｍｍ、実施例３が２７．９１ｍｍ、実施例４が２８．３４ｍｍ、実施例５が２７．９５ｍｍである。
【０１５８】
以下に各実施例の数値データを示すが、以下の表中の“ＦＦＳ”は自由曲面、“ＣＹＬ”はシリンドリカル面、“ＨＯＥ”は反射型ホログラム面、“ＴＯＲ”はトーリック面、“ＲＥ”は反射面をそれぞれ示す。
【０１５９】
0004812181.tif 000013
0004812181.tif 000014
0004812181.tif 000015
【０１６０】
0004812181.tif 000016
0004812181.tif 000017
0004812181.tif 000018
【０１６１】
0004812181.tif 000019
0004812181.tif 000020
0004812181.tif 000021
【０１６２】
0004812181.tif 000022
0004812181.tif 000023
0004812181.tif 000024
【０１６３】
0004812181.tif 000025
0004812181.tif 000026
0004812181.tif 000027
【０１６４】
次に、代表的に、上記実施例１の像歪みを表す収差図を図６に、ＲＧＢそれぞれの波長領域における横収差を表す収差図を図７〜図９にそれぞれ示す。これらの横収差図においては、括弧内に示された数字は（水平画角，垂直画角）を表し、その画角における横収差を示す。
【０１６５】
ところで、図１０は、以上のような実施例の観察光学系の光軸を含むＹ−Ｚ断面図であり、ホログラム素子６を回折しないで透過した光がゴースト光として悪影響を与えることを示す説明図である。
【０１６６】
以上のような実施例の構成において、光束が体積型ホログラム６に対して第１の入射角度で入射した場合であっても、所定の波長領域の光線は、例えば図２０に示すように、１００％回折反射するのではなく、極く僅かに回折反射しない不要次数光が発生して透過光が発生し得る。
【０１６７】
そして、その透過光が例えば、図１１に示す接眼光学系の底面４3 や側面（紙面に垂直な方向の面）に光が当たり、その反射光がゴースト光として観察者の眼球に入射するおそれがある。
【０１６８】
そこで、本発明においては、図１０に示すように、図１〜図５のような構成に加えて、第１プリズム３の側面や第２プリズム４の側面及び底面４3 にゴースト光除去部材として黒色塗料等光を吸収する性質を有する部材をペイント処理を施す等して設けている。なお、ゴースト光除去部材１５を、第１プリズム３の第１入射面３3 内の光線有効径外や、第１プリズムの反射面３2 内の光線有効径外や、第２プリズム４の第２射出面４1 内の光線有効径外の領域等の非光学作用面（第１プリズム３と第２プリズム４において、第１光束を透過又は反射させる光学作用面以外の面）に含まれる部位にも設けることが望ましい。
【０１６９】
次に、以上のような本発明による観察光学系、撮像光学系は、物体像を接眼レンズを通して観察する観察装置や、物体像を形成しその像をＣＣＤや銀塩フィルムといった撮像素子に受光させて撮影を行なう撮影装置として用いることが可能である。具体的には、顕微鏡、頭部装着型画像表示装置、内視鏡、プロジェクター、銀塩カメラ、デジタルカメラ、ＶＴＲカメラ、撮影装置を内蔵したパソコン、携帯電話等の情報処理装置等がある。以下にその実施形態を例示する。
【０１７０】
その一例として、図１２に頭部装着型で両眼装着用の画像表示装置を観察者の頭部に装着した状態を、図１３にその断面図を示す。この構成は、本発明による観察光学系を図１４に示すように画像表示素子５を備えた接眼光学系１００として用いており、この接眼光学系１００を左右一対用意し、それらを眼幅距離だけ離して支持することにより、両眼で観察できる据え付け型又は頭部装着型画像表示装置のようなポータブル型の画像表示装置１０２として構成されている。
【０１７１】
すなわち、画像表示装置本体１０２には、上記のような観察光学系が接眼光学系１００として用いられ、その接眼光学系１００が左右一対備えられ、それらに対応して像面に液晶表示素子からなる画像表示素子５が配置されている。そして、画像表示装置本体１０２には、図１２に示すように、左右に連続して図示のような側頭フレーム１０３が設けられ、画像表示装置本体１０２を観察者の眼前に保持できるようになっている。なお、図１３に示すように、接眼光学系１００の射出瞳と第２プリズム４の第２射出面４1 との間にカバー部材９１が配置されている。このカバー部材９１としては、平行平面板、正レンズあるいは負レンズの何れを用いてもよい。
【０１７２】
また、側頭フレーム１０３にはスピーカ１０４が付設されており、画像観察と共に立体音響を聞くことができるようになっている。このようにスピーカ１０４を有する表示装置本体１０２には、映像音声伝達コード１０５を介してポータブルビデオカセット等の再生装置１０６が接続されており、観察者はこの再生装置１０６を図示のようにベルト箇所等の任意の位置に保持して、映像音響を楽しむことができるようになっている。図１２の符号１０７は再生装置１０６のスイッチ、ボリューム等の調節部である。なお、画像表示装置本体１０２の内部には映像処理、音声処理回路等の電子部品を内蔵させてある。
【０１７３】
なお、コード１０５は先端をジャックにして、既存のビデオデッキ等に取り付け可能としてもよい。さらに、ＴＶ電波受信用チューナーに接続してＴＶ鑑賞用としてもよいし、コンピュータに接続してコンピュータグラフィックスの映像や、コンピュータからのメッセージ映像等を受信するようにしてもよい。また、邪魔なコードを排斥するために、アンテナを接続して外部からの信号を電波によって受信するようにしてもよい。
【０１７４】
さらに、本発明による観察光学系は、接眼光学系を左右何れか一方の眼前に配置した片眼用の頭部装着型画像表示装置に用いてもよい。図１４にその片眼装着用の画像表示装置を観察者の頭部に装着（この場合は、左眼に装着）した状態を示す。この構成では、画像表示素子５を備えた接眼光学系１００を１組備えた表示装置本体１０２が前フレーム１０８の対応する眼の前方位置に取り付けられ、その前フレーム１０８には左右に連続して図示のような側頭フレーム１０３が設けられており、表示装置本体１０２を観察者の片眼前に保持できるようになっている。その他の構成は図１２の場合と同様であり、説明は省く。
【０１７５】
また、図１５〜図１７は、本発明による撮像光学系の要部構成を電子カメラのファインダー部の対物光学系に組み込んだ構成の概念図を示す。図１５は電子カメラ４０の外観を示す前方斜視図、図１６は同後方斜視図、図１７は電子カメラ４０の構成を示す断面図である。
【０１７６】
電子カメラ４０は、この例の場合、撮影用光路４２を有する撮影光学系４１、ファインダー用光路４４を有するファインダー光学系４３、シャッター釦４５、フラッシュ４６、液晶表示モニター４７等を含み、カメラ４０の上部に配置されたシャッター釦４５を押圧すると、それに連動して撮影用対物光学系４８を通して撮影が行なわれる。撮影用対物光学系４８によって形成された物体像が、ローパスフィルター、赤外カットフィルター等のフィルター５１を介してＣＣＤ４９の撮像面５０上に形成される。
【０１７７】
このＣＣＤ４９で受光された物体像は、処理手段５２を介し、電子画像としてカメラ背面に設けられた液晶表示モニター４７に表示される。また、この処理手段５２には記録素子６１が配置され、撮影された電子画像を記録することもできる。なお、この記録素子６１は処理手段５２と別体に設けられてもよいし、フロッピーディスク等により電子的に記録書込を行なうように構成してもよい。また、ＣＣＤ４９に代わって銀塩フィルムを配置した銀塩カメラとして構成してもよい。
【０１７８】
さらに、ファインダー用光路４４上には、ファインダー用対物光学系５３が配置されており、このファインダー用対物光学系５３は、カバーレンズ５４と、フォーカシングのために光軸方向に位置調節可能な正レンズ群５７と、明るさ絞り１４と第１プリズム３と第２プリズム４とを備えてなる。また、カバー部材として用いられているカバーレンズ５４は、負のパワーを有するレンズ群であり、画角を拡大している。なお、第１プリズム３は、本発明の実施例１〜５の第１プリズム３の構成に加えて、第４入射面３1 に設けられたホログラム６からの回折反射光が第４射出面３3 に至る光路の途中に反射面３4 を有している。このファインダー用対物光学系５３によって結像面９０上に形成された物体像は、像正立部材であるポロプリズム５５の視野枠上に形成される。
【０１７９】
なお、その視野枠は、ポロプリズム５５の第１反射面５６1 と第２反射面５６2 との間を分離し、その間に配置されている。なお、ポロプリズム５５は第１反射面５６1 から第４反射面５６4 でなる。このポロプリズム５５の後方には、正立正像にされた像を観察者眼球Ｅに導く接眼光学系５９が配置されている。
【０１８０】
このように構成されたカメラ４０は、ファインダー用対物光学系５３を少ない光学部材で構成でき、高性能・低コスト化が実現できると共に、対物光学系５３の光路自体を折り曲げて構成できるため、カメラ内部での配置の自由度が増し、設計上有利となる。
【０１８１】
なお、図１７の構成において、撮影用対物光学系４８の構成については言及しなかったが、撮影用対物光学系４８としては屈折型同軸光学系の他に、本発明の本発明の実施例１〜５に示すような２つのプリズム３、４からなる何れかのタイプの撮像光学系を用いることも当然可能である。
【０１８２】
また、接眼光学系５９を本発明の実施例１〜５に示すような２つのプリズム３、４からなる何れかのタイプの接眼光学部材を用いて構成してもよい。
【０１８３】
次に、図１８は本発明の撮像光学系を電子カメラ４０の撮影部の対物光学系４８に、本発明の観察光学系を電子カメラ４０の接眼光学系５９に組み込んだ構成の概念図を示す。この例の場合は、撮影用光路４２上に配置された撮影用対物光学系４８は、正レンズからなるカバー部材６５と本発明の実施例１〜５に示すような２つのプリズム３、４からなる何れかのタイプの撮像光学系からなる。そして、その第１プリズム３とＣＣＤ４９との間にローパスフィルター、赤外カットフィルター等のフィルター５１が配置されており、この撮影用対物光学系４８により形成された物体像はＣＣＤ４９の撮像面５０上に形成される。このＣＣＤ４９で受光された物体像は、処理手段５２を介し、液晶表示素子（ＬＣＤ）６０上に電子像として表示される。また、この処理手段５２は、ＣＣＤ４９で撮影された物体像を電子情報として記録する記録手段６１の制御も行なう。ＬＣＤ６０に表示された画像は、接眼光学系５９を介して観察者眼球Ｅに導かれる。
【０１８４】
この接眼光学系５９は、本発明の実施例１〜２に示すような観察光学系と同様の形態を持つ偏心プリズム光学系３、４とその射出瞳側に配置されたカバーレンズ９１とからなる。また、ＬＣＤ６０の背後にはそれを照明するバックライト９２が配置されている。なお、この撮影用対物光学系４８は他のレンズ（正レンズ、負レンズ）を２つのプリズム３、４の物体側あるいは像側にその構成要素として含んでいてもよい。
【０１８５】
このように構成されたカメラ４０は、撮影用対物光学系４８、接眼光学系５９を少ない光学部材で構成でき、高性能・低コスト化が実現できると共に、光学系全体を同一平面上に並べて配置できるため、この配置平面と垂直方向の厚みの薄型化が実現できる。
【０１８６】
なお、本例では、撮影用対物光学系４８のカバー部材６５として、正レンズを配置しているが、負レンズあるいは平行平面板を用いてもよい。
【０１８７】
ここで、カバー部材を設けずに、本発明の撮像光学系の最も物体側に配置された面をカバー部材と兼用することもできる。本例では、その最も物体側の面は第２プリズム４の第３入射面４1 となる。しかし、この入射面４1 が光軸に対して偏心配置されているため、この面がカメラ前面に配置されてしまうと、被写体側から見た場合、カメラ４０の撮影中心が自分からずれているように錯覚してしまい（一般的なカメラ同様、入射面の垂直方向を撮影していると感じるのが通常である。）、違和感を与えてしまう。そこで、本例のように、結像光学系の最も物体側の面が偏心面である場合には、カバー部材６５（又は、カバーレンズ５４）を設けることが、被写体側から見た場合に違和感を受けずに、既存のカメラと同じ感覚で撮影を受けることができ望ましい。
【０１８８】
次に、図１９は、本発明による撮像光学系を電子内視鏡の観察系の対物光学系８２に、本発明による観察光学系を電子内視鏡の観察系の接眼光学系８７に組み込んだ構成の概念図を示す。この例の場合、観察系の対物光学系８２、接眼光学系８７は実施例１〜５と略同様の形態の光学系を用いている。この電子内視鏡は、図１９（ａ）に示すように、電子内視鏡７１と、照明光を供給する光源装置７２と、その電子内視鏡７１に対応する信号処理を行なうビデオプロセッサ７３と、このビデオプロセッサ７３から出力される映像信号を表示するモニター７４と、このビデオプロセッサ７３と接続され映像信号等に記録するＶＴＲデッキ７５及びビデオディスク７６と、映像信号を映像としてプリントアウトするビデオプリンタ７７と、例えば図１２に示したような頭部装着型画像表示装置（ＨＭＤ）７８と共に構成されており、電子内視鏡７１の挿入部７９の先端部８０と、その接眼部８１は、図１９（ｂ）に示すように構成されている。
【０１８９】
光源装置７２から照明された光束は、ライトガイドファイバー束８８を通って照明用対物光学系８９により、観察部位を照明する。そして、この観察部位からの光が、カバー部材８５を介して、観察用対物光学系８２によって物体像として形成される。この物体像は、ローパスフィルター、赤外カットフィルター等のフィルター８３を介してＣＣＤ８４の撮像面上に形成される。さらに、この物体像は、ＣＣＤ８４によって映像信号に変換され、その映像信号は、図１９（ａ）に示すビデオプロセッサ７３により、モニター７４上に直接表示されると共に、ＶＴＲデッキ７５、ビデオディスク７６中に記録され、また、ビデオプリンタ７７から映像としてプリントアウトされる。また、ＨＭＤ７８の画像表示素子５（図１３）に表示されＨＭＤ７８の装着者に表示される。同時に、ＣＣＤ８４によって変換された映像信号は画像信号導伝手段９３を介して接眼部８１の液晶表示素子（ＬＣＤ）８６上に電子像として表示され、その表示像は本発明の観察光学系からなる接眼光学系８７を経て観察者眼球Ｅに導かれる。
【０１９０】
このように構成された内視鏡は、少ない光学部材で構成でき、高性能・低コスト化が実現できると共に、対物光学系８０が内視鏡の長軸方向に並ぶため、細径化を阻害することなく上記効果を得ることができる。
【０１９１】
このように構成された内視鏡は、少ない光学部材で構成でき、高性能・低コスト化が実現できると共に、対物光学系８０が内視鏡の長軸方向に並ぶため、細径化を阻害することなく上記効果を得ることができる。
【０１９２】
次に、本発明の撮像光学系を情報処理装置の一例であるパソコンに内蔵した構成を示す概念図を図２０〜図２２に示す。
【０１９３】
図２０はパソコン３００のカバーを開いた前方斜視図、図２１はパソコン３００の撮影光学系３０３の断面図、図２２は図２０の状態の側面図である。図２０〜図２２に示されるように、パソコン３００は、外部から繰作者が情報を入力するためのキーボード３０１と、図示を省略した情報処理手段や記録手段と、情報を操作者に表示するモニター３０２と、操作者自身や周辺の像を撮影するための撮影光学系３０３とを有している。ここで、モニター３０２は、図示しないバックライトにより背面から照明する透過型液晶表示素子や、前面からの光を反射して表示する反射型液晶表示素子や、ＣＲＴディスプレイ等であってよい。また、図中、撮影光学系３０３は、モニター３０２の右上に内蔵されているが、その場所に限らず、モニター３０２の周囲や、キーボード３０１の周囲のどこであってもよい。
【０１９４】
この撮影光学系３０３は、撮影光路３０４上に、本発明の撮像光学系からなる対物光学系２００と、像を受光する撮像素子チップ２０４とを有している。これらはパソコン３００に内蔵されている。
【０１９５】
ここで、撮像素子チップ２０４上には付加的にｌＲカットフィルター２０３が貼り付けられて撮像ユニット２０６として一体に形成され、対物光学系２００の鏡枠２０１の後端にワンタッチで嵌め込まれて取り付け可能になっているため、対物光学系２００と撮像素子チップ２０４の中心合わせや面間隔の調整が不要であり、組立が簡単となっている。また、鏡枠２０１の先端には、対物光学系２００を保護するためのカバーガラス２０２が配置されている。
【０１９６】
撮像素子チップ２０４で受光された物体像は、端子２０５を介して、パソコン３００の処理手段に入力され、電子画像としてモニター３０２に表示される、図２１には、その一例として、操作者の撮影された画像３０５が示されている。また、この画像３０５は、処理手段を介し、インターネットや電話を介して、遠隔地から通信相手のパソコンに表示されることも可能である。
【０１９７】
次に、情報処理装置の他の例として電話、特に、その中でも持ち運びに便利な携帯電話に本発明の撮像光学系を内蔵した例を図２３に示す。
【０１９８】
図２３（ａ）は携帯電話４００の正面図、図２３（ｂ）は側面図、図２３（ｃ）は撮影光学系４０５の断面図である。図２３（ａ）〜（ｃ）に示されるように、携帯電話４００は、操作者の声を情報として入力するマイク部４０１と、通話相手の声を出力するスピーカ部４０２と、操作者が情報を入力する入力ダイアル４０３と、操作者自身や通話相手等の撮影像と電話番号等の情報を表示するモニター４０４と、撮影光学系４０５と、通信電波の送信と受信を行うアンテナ４０６と、画像情報や通信情報、入力信号等の処理を行う処理手段（図示せず）とを有している。ここで、モニター４０４は液晶表示素子である。また、図中、各構成の配置位置は、特にこれらに限られない。この撮影光学系４０５は、撮影光路４０７上に配置された本発明の撮像光学系からなる２００と、像を受光する撮像素子チップ２０４とを有している。これらはこれらは、携帯電話４００に内蔵されている。
【０１９９】
ここで、撮像素子チップ２０４上には付加的にｌＲカットフィルター２０３が貼り付けられて撮像ユニット２０６として一体に形成され、対物光学系２００の鏡枠２０１の後端にワンタッチで嵌め込まれて取り付け可能になっているため、対物光学系２００と撮像素子チップ２０４の中心合わせや面間隔の調整が不要であり、組立が簡単となっている。また、鏡枠２０１の先端には、対物光学系２００を保護するためのカバーガラス２０２が配置されている。
【０２００】
撮像素子チップ２０４で受光された物体像は、端子２０５を介して、図示していない処理手段に入力され、電子画像としてモニター４０４に、又は、通信相手のモニターに、又は、両方に表示される。また、通信相手に画像を送信する場合、撮像素子チップ６２で受光された物体像の情報を、送信可能な信号へと変換する信号処理機能が処理手段には含まれている。
【０２０１】
次に、本発明による光学系を構成するプリズムに体積型ホログラムのような回折素子を設けるときの望ましい構成を図２８に示す。図中、偏心プリズムＰ１，Ｐ２は、夫々、本発明の観察光学系又は撮像光学系中に含まれる第１プリズム３，第２プリズム４である。いま、像面Ｃ（例えば、画像表示素子５の表示面、撮像素子１３の撮像面）が、図のように四角形を形成するとき、偏心プリズムＰ１の第１−１面（第１プリズム３の第１入射面３3 ）又は偏心プリズムＰ２の第２−２面（第２プリズム４の第２射出面４1 ）が面対称自由曲面に形成された場合その対称面Ｄが、この像面Ｃを形成する４つの辺の少なくとも１つと平行になるように配置することが、美しい像形成の上で望ましい。
【０２０２】
さらに、この像面Ｃが正方形や長方形といった４つの内角がそれぞれ略９０°にて形成されている場合には、面対称自由曲面の対称面Ｄは、像面Ｃの互いに平行関係にある２辺に対して平行に配置され、この対称面Ｄが像面Ｃを左右又は上下対称にさせる位置に一致するように構成することが好ましい。このように構成すれば、装置に組み込むときの組み込み精度が出しやすく、量産性に効果的である。
【０２０３】
さらに、偏心プリズムＰ１，Ｐ２を構成する光学面である第１−１面（第１プリズム３の第１入射面３3 ）、第１−２面（第１プリズム３の第１射出面３1 ）、第１−３面（第１プリズム３の反射面３2 ）、第２−１面（第２プリズム４の第２入射面４2 ）、第２−２面（第２プリズム４の第２射出面４1 ）等の内、複数の面又は全ての面が面対称自由曲面の場合には、複数の面又は全ての面の対称面が同一面Ｄの上に配置されるように構成することが、設計上も、収差性能上も望ましい。そして、この対称面Ｄと回折素子６のパワーの面との関係は、上述と同様の関係にあることが望ましい。
【０２０４】
以上、本発明の観察光学系及び撮像光学系及びそれを用いた装置を実施例に基づいて説明してきたが、本発明はこれら実施例に限定されず種々の変形が可能である。
【０２０５】
【発明の効果】
以上、本発明によれば、携帯電話や携帯情報端末そして頭部装着型の虚像観察装置に用いるのに適した、明るい表示画像の観察や明るい物体像の撮像が可能であり、組み立てが容易で、振動等の衝撃に強く、軽量、コンパクトで、さらに良好に収差補正された観察光学系及びそれを用いた装置、撮像光学系及びそれを用いた装置を提供することができる。
【図面の簡単な説明】
【図１】本発明の実施例１に係る光学系の光軸を含むＹ−Ｚ断面図である。
【図２】本発明の実施例２に係る光学系の光軸を含むＹ−Ｚ断面図である。
【図３】本発明の実施例３に係る光学系の光軸を含むＹ−Ｚ断面図である。
【図４】本発明の実施例４に係る光学系の光軸を含むＹ−Ｚ断面図である。
【図５】本発明の実施例５に係る光学系の光軸を含むＹ−Ｚ断面図である。
【図６】実施例１の像歪みを表す収差図である。
【図７】実施例１のＲバンド（赤バンド）の横収差を表す収差図である。
【図８】実施例１のＧバンド（緑バンド）の横収差を表す収差図である。
【図９】実施例１のＢバンド（青バンド）の横収差を表す収差図である。
【図１０】ゴースト光除去部材を設けた構成の観察光学系の光軸を含むＹ−Ｚ断面図である。
【図１１】ホログラム素子を回折しないで透過した光がゴースト光として悪影響を与えることを示す説明図である。
【図１２】本発明の観察光学系を用いた頭部装着型で両眼装着用の画像表示装置を観察者の頭部に装着した状態を示す図である。
【図１３】図１２の断面図である。
【図１４】本発明の観察光学系を用いた頭部装着型で片眼装着用の画像表示装置を観察者の頭部に装着した状態を示す図である。
【図１５】本発明の撮像光学系及び観察光学系を適用した電子カメラの外観を示す前方斜視図である。
【図１６】図１５の電子カメラの後方斜視図である。
【図１７】図１５の電子カメラの１つの構成を示す断面図である。
【図１８】本発明の撮像光学系及び観察光学系を適用した別の電子カメラの概念図である。
【図１９】本発明の撮像光学系及び観察光学系を適用した電子内視鏡の概念図である。
【図２０】本発明の撮像光学系が対物光学系として組み込れたパソコンのカバーを開いた前方斜視図である。
【図２１】パソコンの撮影光学系の断面図である。
【図２２】図２０の状態の側面図である。
【図２３】本発明の撮影光学系が対物光学系として組み込れた携帯電話の正面図、側面図、その撮影光学系の断面図である。
【図２４】角度θの定義を説明するための図である。
【図２５】本発明におけるＨＯＥを定義するための原理図である。
【図２６】本発明の構成の体積型ホログラムの波長が５２０ｎｍの軸上主光線の入射角に対する回折効率を示すグラフである。
【図２７】本発明の構成の体積型ホログラムの波長に対する入射角度が４７．３°の軸上主光線の回折効率を示すグラフである。
【図２８】本発明による光学系を構成するプリズムにＨＯＥを配置するときの好ましい構成を示す図である。
【図２９】球面形状の基板部材にホログラム素子を設けた場合の２種類のパワーの説明するための図であり、（ａ）は正面図、（ｂ）は側面図である。
【符号の説明】
１…射出瞳
２…軸上主光線
３…第１プリズム
３1 …第１射出面（第４入射面）
３2 …反射面
３3 …第１入射面（第４射出面）
４…第２プリズム
４1 …第２射出面（第３入射面）
４2 …第２入射面（第３射出面）
４3 …底面
５…ＬＣＤ
６…体積型ホログラム
１３…撮像素子
１４…明るさ絞り
１５…ゴースト光除去部材
４０…カメラ
４１…撮像光学系
４２…撮影用光路
４３…ファインダー光学系
４４…ファインダー用光路
４５…シャッター
４６…フラッシュ
４７…液晶表示モニター
４８…撮影用対物光学系
４９…ＣＣＤ
５０…撮像面
５１…フィルター
５２…処理手段
５３…ファインダー用対物光学系
５４…負レンズ群
５５…ポロプリズム
５６1 〜５６4 …第１〜４反射面
５７…レンズ群
５９…接眼光学系
６０…液晶表示素子（ＬＣＤ）
６１…記録素子
６５…カバー部材
７１…電子内視鏡
７２…光源装置
７３…ビデオプロセッサ
７４…モニター
７５…ＶＴＲデッキ
７６…ビデオディスク
７７…ビデオプリンタ
７８…頭部装着型画像表示装置（ＨＭＤ）
７９…挿入部
８０…先端部
８１…接眼部
８２…観察用対物光学系
８３…フィルター
８４…ＣＣＤ
８５…カバー部材
８６…液晶表示素子（ＬＣＤ）
８７…接眼光学系
８８…ライトガイドファイバー束
８９…照明用対物光学系
９０…結像面
９１…カバー部材
９２…バックライト
９３…画像信号導伝手段
１００…接眼光学系
１０２…画像表示装置（本体）
１０３…側頭フレーム
１０４…スピーカ
１０５…映像音声伝達コード
１０６…再生装置
１０７…調節部
１０８…前フレーム
２００…対物光学系
２０１…鏡枠
２０２…カバーガラス
２０３…ｌＲカットフィルター
２０４…撮像素子チップ
２０５…端子
２０６…撮像ユニット
３００…パソコン
３０１…キーボード
３０２…モニター
３０３…撮影光学系
３０４…撮影光路
３０５…画像
４００…携帯電話
４０１…マイク部
４０２…スピーカ部
４０３…入力ダイアル
４０４…モニター
４０５…撮影光学系
４０６…アンテナ
４０７…撮影光路
Ｐ１，Ｐ２…偏心プリズム
Ｃ…像面
Ｄ…面対称自由曲面の対称面
Ｅ…観察者眼球
【図１】
0004812181.tif 000028
【図２】
0004812181.tif 000029
【図３】
0004812181.tif 000030
【図４】
0004812181.tif 000031
【図５】
0004812181.tif 000032
【図６】
0004812181.tif 000033
【図７】
0004812181.tif 000034
【図８】
0004812181.tif 000035
【図９】
0004812181.tif 000036
【図１０】
0004812181.tif 000037
【図１１】
0004812181.tif 000038
【図１２】
0004812181.tif 000039
【図１３】
0004812181.tif 000040
【図１４】
0004812181.tif 000041
【図１５】
0004812181.tif 000042
【図１６】
0004812181.tif 000043
【図１７】
0004812181.tif 000044
【図１８】
0004812181.tif 000045
【図１９】
0004812181.tif 000046
【図２０】
0004812181.tif 000047
【図２１】
0004812181.tif 000048
【図２２】
0004812181.tif 000049
【図２３】
0004812181.tif 000050
【図２４】
0004812181.tif 000051
【図２５】
0004812181.tif 000052
【図２６】
0004812181.tif 000053
【図２７】
0004812181.tif 000054
【図２８】
0004812181.tif 000055
【図２９】
0004812181.tif 000056